【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
設定された撮影条件で被写体を撮影する撮像手段と、
同じ１つのボタンに対する異なる操作を検出する検出手段と、
前記検出手段によって第１の操作が検出された場合、この第１の操作の検出時に設定されている撮影条件を記憶手段に登録する登録手段と、
前記検出手段によって前記第１の操作とは異なる第２の操作が検出された場合、前記第１の操作の検出時に設定されていた撮影条件を前記記憶手段から呼び出して、この第２の操作が検出されたときの撮影条件として設定する設定手段と、
を備えたことを特徴とする撮像装置。
【請求項２】
前記検出手段は、同じ１つのボタンに対する操作時間または操作回数のいずれかの違いによって前記第１の操作と前記第２の操作とを識別して検出することを特徴とする請求項１記載の撮像装置。
【請求項３】
前記検出手段は、同じ１つのボタンに対する操作時間と操作回数の組み合わせの違いによって前記第１の操作と前記第２の操作に加えて更に、第３の操作と第４の操作を識別して検出し、
前記登録手段は、前記検出手段によって第１の操作が検出された場合、この第１の操作の検出時に設定されている撮影条件を記憶手段に登録し、前記検出手段によって前記第３の操作が検出された場合、この第３の操作の検出時に設定されている撮影条件を前記記憶手段に登録し、
前記設定手段は、前記検出手段によって前記第２の操作が検出された場合、前記第１の操作の検出時に設定されていた撮影条件を前記記憶手段から呼び出して、この第２の操作が検出されたときの撮影条件として設定し、前記検出手段によって前記第４の操作が検出された場合、前記第３の操作の検出時に設定されていた撮影条件を前記記憶手段から呼び出して、この第４の操作が検出されたときの撮影条件として設定することを特徴とする請求項２記載の撮像装置。
【請求項４】
前記検出手段は、同じ１つのボタンに対する操作時間の違いにより前記第１、第３の操作と前記第２、第４の操作とを識別して検出し、同じ１つのボタンに対する操作回数の違いにより前記第１、第２の操作と前記第３、４の操作とを識別して検出することを特徴とする請求項３記載の撮像装置。
【請求項５】
複数の項目から任意の項目を選択するためのメニューを表示する表示手段と、
同じ１つのボタンに対する所定の操作を検出したときに、前記表示手段によりいずれかのメニューが表示されている第１の操作状態か、前記表示手段によりいずれのメニューも表示されてない第２の操作状態かを識別して検出する検出手段と、
前記検出手段によって前記第１の操作状態が検出された場合に、この第１の操作状態が検出されたときに前記表示手段により表示されているメニューの表示状態を前記記憶手段に登録する登録手段と、
前記検出手段によって前記第２の操作状態が検出された場合に、前記第１の操作状態が検出されたときに前記表示手段により表示されていたメニューの表示状態を前記記憶手段から呼び出して、この第２の操作状態が検出されたときのメニューの表示状態として設定する設定手段と、
を備えたことを特徴とする状態登録設定装置。
【請求項６】
前記検出手段は、同じ１つのボタンに対する操作時間または操作回数の違いによって前記第１の操作状態と前記第２の操作状態に加えて更に、第３の操作状態と第４の操作状態を識別して検出し、
前記登録手段は、前記検出手段によって第１の操作状態が検出された場合、この第１の操作状態が検出されたときに前記表示手段により表示されているメニューの表示状態を記憶手段に登録し、前記検出手段によって前記第３の操作状態が検出された場合、この第３の操作状態が検出されたときに前記表示手段により表示されているメニューの表示状態を前記記憶手段に登録し、
前記設定手段は、前記検出手段によって前記第２の操作状態が検出された場合、前記第１の操作状態の検出時に前記表示手段により表示されていたメニューの表示状態を前記記憶手段から呼び出して、この第２の操作状態が検出されたときのメニューの表示状態として設定し、前記検出手段によって前記第４の操作状態が検出された場合、前記第３の操作状態の検出時に前記表示手段により表示されていたメニューの表示状態を前記記憶手段から呼び出して、この第４の操作が検出されたときのメニューの表示状態として設定することを特徴とする請求項６記載の状態登録設定装置。
【請求項７】
前記検出手段による何れか１つの操作の検出があると、そのことを使用者に報知して確認させる報知確認手段を備えることを特徴とする、請求項５または６に記載の状態登録設定装置。
【請求項８】
設定された撮影条件で被写体を撮影する撮像手段を備える撮像装置のコンピュータを、
同じ１つのボタンに対する異なる操作を検出する検出手段と、
前記検出手段によって第１の操作が検出された場合、この第１の操作の検出時に設定されている撮影条件を記憶手段に登録する登録手段と、
前記検出手段によって前記第１の操作とは異なる第２の操作が検出された場合、前記第１の操作の検出時に設定されていた撮影条件を前記記憶手段から呼び出して、この第２の操作が検出されたときの撮影条件として設定する設定手段と、
して機能させることを特徴とするプログラム。
【請求項９】
複数の項目から任意の項目を選択するためのメニューを表示する表示手段を備える状態登録設定装置のコンピュータを、
同じ１つのボタンに対する所定の操作を検出したときに、前記表示手段によりいずれかのメニューが表示されている第１の操作状態か、前記表示手段によりいずれのメニューも表示されてない第２の操作状態かを識別して検出する検出手段と、
前記検出手段によって前記第１の操作状態が検出された場合に、この第１の操作状態が検出されたときに前記表示手段により表示されているメニューの表示状態を前記記憶手段に登録する登録手段と、
前記検出手段によって前記第２の操作状態が検出された場合に、前記第１の操作状態が検出されたときに前記表示手段により表示されていたメニューの表示状態を前記記憶手段から呼び出して、この第２の操作状態が検出されたときのメニューの表示状態として設定する設定手段と、
して機能させることを特徴とするプログラム。
【手続補正２】
【補正対象書類名】明細書
【補正対象項目名】００１１
【補正方法】変更
【補正の内容】
【００１１】
請求項１記載の発明は、設定された撮影条件で被写体を撮影する撮像手段と、同じ１つのボタンに対する異なる操作を検出する検出手段と、前記検出手段によって第１の操作が検出された場合、この第１の操作の検出時に設定されている撮影条件を記憶手段に登録する登録手段と、前記検出手段によって前記第１の操作とは異なる第２の操作が検出された場合、前記第１の操作の検出時に設定されていた撮影条件を前記記憶手段から呼び出して、この第２の操作が検出されたときの撮影条件として設定する設定手段と、を備えたことを特徴とする撮像装置である。
請求項２記載の発明は、前記検出手段は、同じ１つのボタンに対する操作時間または操作回数のいずれかの違いによって前記第１の操作と前記第２の操作とを識別して検出することを特徴とする請求項１記載の撮像装置である。
請求項３記載の発明は、前記検出手段は、同じ１つのボタンに対する操作時間と操作回数の組み合わせの違いによって前記第１の操作と前記第２の操作に加えて更に、第３の操作と第４の操作を識別して検出し、前記登録手段は、前記検出手段によって第１の操作が検出された場合、この第１の操作の検出時に設定されている撮影条件を記憶手段に登録し、前記検出手段によって前記第３の操作が検出された場合、この第３の操作の検出時に設定されている撮影条件を前記記憶手段に登録し、前記設定手段は、前記検出手段によって前記第２の操作が検出された場合、前記第１の操作の検出時に設定されていた撮影条件を前記記憶手段から呼び出して、この第２の操作が検出されたときの撮影条件として設定し、前記検出手段によって前記第４の操作が検出された場合、前記第３の操作の検出時に設定されていた撮影条件を前記記憶手段から呼び出して、この第４の操作が検出されたときの撮影条件として設定することを特徴とする請求項２記載の撮像装置である。
請求項４記載の発明は、前記検出手段は、同じ１つのボタンに対する操作時間の違いにより前記第１、第３の操作と前記第２、第４の操作とを識別して検出し、同じ１つのボタンに対する操作回数の違いにより前記第１、第２の操作と前記第３、４の操作とを識別して検出することを特徴とする請求項３記載の撮像装置である。
請求項５記載の発明は、複数の項目から任意の項目を選択するためのメニューを表示する表示手段と、同じ１つのボタンに対する所定の操作を検出したときに、前記表示手段によりいずれかのメニューが表示されている第１の操作状態か、前記表示手段によりいずれのメニューも表示されてない第２の操作状態かを識別して検出する検出手段と、前記検出手段によって前記第１の操作状態が検出された場合に、この第１の操作状態が検出されたときに前記表示手段により表示されているメニューの表示状態を前記記憶手段に登録する登録手段と、前記検出手段によって前記第２の操作状態が検出された場合に、前記第１の操作状態が検出されたときに前記表示手段により表示されていたメニューの表示状態を前記記憶手段から呼び出して、この第２の操作状態が検出されたときのメニューの表示状態として設定する設定手段と、を備えたことを特徴とする状態登録設定装置である。
請求項６記載の発明は、前記検出手段は、同じ１つのボタンに対する操作時間または操作回数の違いによって前記第１の操作状態と前記第２の操作状態に加えて更に、第３の操作状態と第４の操作状態を識別して検出し、前記登録手段は、前記検出手段によって第１の操作状態が検出された場合、この第１の操作状態が検出されたときに前記表示手段により表示されているメニューの表示状態を記憶手段に登録し、前記検出手段によって前記第３の操作状態が検出された場合、この第３の操作状態が検出されたときに前記表示手段により表示されているメニューの表示状態を前記記憶手段に登録し、前記設定手段は、前記検出手段によって前記第２の操作状態が検出された場合、前記第１の操作状態の検出時に前記表示手段により表示されていたメニューの表示状態を前記記憶手段から呼び出して、この第２の操作状態が検出されたときのメニューの表示状態として設定し、前記検出手段によって前記第４の操作状態が検出された場合、前記第３の操作状態の検出時に前記表示手段により表示されていたメニューの表示状態を前記記憶手段から呼び出して、この第４の操作が検出されたときのメニューの表示状態として設定することを特徴とする請求項６記載の状態登録設定装置である。
請求項７記載の発明は、設定された撮影条件で被写体を撮影する撮像手段を備える撮像装置のコンピュータを、同じ１つのボタンに対する異なる操作を検出する検出手段と、前記検出手段によって第１の操作が検出された場合、この第１の操作の検出時に設定されている撮影条件を記憶手段に登録する登録手段と、前記検出手段によって前記第１の操作とは異なる第２の操作が検出された場合、前記第１の操作の検出時に設定されていた撮影条件を前記記憶手段から呼び出して、この第２の操作が検出されたときの撮影条件として設定する設定手段と、して機能させることを特徴とするプログラムである。
請求項８記載の発明は、複数の項目から任意の項目を選択するためのメニューを表示する表示手段を備える状態登録設定装置のコンピュータを、同じ１つのボタンに対する所定の操作を検出したときに、前記表示手段によりいずれかのメニューが表示されている第１の操作状態か、前記表示手段によりいずれのメニューも表示されてない第２の操作状態かを識別して検出する検出手段と、前記検出手段によって前記第１の操作状態が検出された場合に、この第１の操作状態が検出されたときに前記表示手段により表示されているメニューの表示状態を前記記憶手段に登録する登録手段と、前記検出手段によって前記第２の操作状態が検出された場合に、前記第１の操作状態が検出されたときに前記表示手段により表示されていたメニューの表示状態を前記記憶手段から呼び出して、この第２の操作状態が検出されたときのメニューの表示状態として設定する設定手段と、して機能させることを特徴とするプログラムである。